(57)【要約】【課題】冷蔵庫の扉体の意匠に関し、扉体周縁部まで光沢を高め、扉体全体の意匠性を高める。【解決手段】鋼板製の外板１７と、外板１７の表面を覆う透明樹脂製パネル１８と、外板１７の上下に設ける樹脂製キャップ１９、２０と、内板２１と、前記外板１７と内板２１と樹脂製キャップ１９、２０間に発泡充填される断熱材２２とからなり、外板１７および前記外板１７の表面を覆う透明樹脂製パネル１８は側壁面２３、２４を有する略断面コの字状としているので、透明樹脂に注いだ光が、扉体の側面ラウンド部で屈折し、透明樹脂内でレンズのような風合いを出せることにより、従来に比べ扉体の周縁部の意匠性が高まり、扉体全体の意匠性を高めることができる。【選択図】  図４
2004278891.tif 000002
【特許請求の範囲】
【請求項１】
側壁面を有する略断面コの字状の鋼板製の外板と、前記外板の上下に設ける樹脂製キャップと、内板と、前記外板と内板と樹脂製キャップ間に発泡充填される断熱材とからなる断熱体の外板の表面を覆うように、略断面コの字状の透明樹脂製のパネルを設けた扉体を有する冷蔵庫。
【請求項２】
透明樹脂製のパネルの内側に凹凸部を施したことを特徴とする請求項１に記載の冷蔵庫。
【請求項３】
略断面コの字状の透明樹脂製のパネルは押出し成形で成形したことを特徴とする請求項１または２に記載の冷蔵庫。
【請求項４】
透明樹脂製のパネルの表面に硬度強化処理を施したことを特徴とする請求項１から請求項３のいずれか一項に記載の冷蔵庫。
【請求項５】
鋼板製の外板と透明樹脂製のパネルの間に様々な色彩、模様の樹脂フィルムを配置したことを特徴とする請求項１から請求項４のいずれか一項に記載の冷蔵庫。
【請求項６】
透明樹脂製のパネルの内側表面に様々な色彩、模様の印刷、塗装を施したことを特徴とする請求項１から請求項４のいずれか一項に記載の冷蔵庫。
【請求項７】
側壁面を有する略断面コの字状の鋼板製の外板と、前記外板の上下に設ける樹脂製キャップと、内板とを有し、前記外板と内板と樹脂製キャップからなる空間に断熱材を充填発泡し断熱体を形成した後、前記断熱体の外板の表面を覆うように、略断面コの字状の透明樹脂製のパネルを組み込むことを特徴とする断熱扉の製造方法。
【請求項８】
側壁面を有する略断面コの字状の鋼板製の外板と、前記外板の上下に設ける樹脂製キャップと、内板とを有し、前記外板の表面を覆うように、略断面コの字状の透明樹脂製のパネルを前記外板に組み込み、その後、前記外板と内板と樹脂製キャップからなる空間に断熱材を充填発泡し断熱扉を形成したことを特徴とする断熱扉の製造方法。
【請求項９】
請求項７または８に記載の断熱扉の製造方法による断熱扉を有する請求項１に記載の冷蔵庫。
【請求項１０】
扉体の前面部に取り付けるハンドルの固定部に対応して透明樹脂製のパネルに開口穴を有し、前記ハンドルの固定部には前記透明樹脂製のパネルの厚みと略同一の土手部を設け、前記開口穴に前記土手部を配置し鋼板製の外板に前記ハンドルを固定したことを特徴とする請求項１から請求項６のいずれか一項に記載の冷蔵庫。
【発明の詳細な説明】
【０００１】
【発明の属する技術分野】
本発明は、冷蔵庫の扉の意匠性向上に関するものである。
【０００２】
【従来の技術】
近年、生活スタイルの多様化により、意匠性の良し悪しが商品の価値を大きく左右しており、各社とも扉表面の意匠を工夫し、顧客の生活スタイルに合う冷蔵庫を提供している（例えば、特許文献１参照。）。
【０００３】
以下、図面を参照しながら上記従来の冷蔵庫を説明する。
【０００４】
図８は、従来の冷蔵庫の扉体の斜視図、図９は、同冷蔵庫の扉体の要部断面図である。
【０００５】
同図において、１は扉体で、着色樹脂板２と、枠体３と、内板４と、前記着色樹脂板２と枠体３と内板４とで囲まれた空間内に発泡充填された断熱材５とからなる。着色樹脂板２は平板で、透明層６と着色層７とからなり、枠体３は着色樹脂板２の全周に設けられている。また、枠体３の前部に設けた挿入部８に着色樹脂板２を全周に亘って挿入し、その後、断熱材５を充填発泡するものである。
【０００６】
上記構成により、着色層７の前に位置する透明層６にて光沢を出すとともに、光沢に深みを持たすことができ、扉体１の意匠性向上を図ることができる。
【０００７】
【特許文献１】
特開平５−２８８４５８号公報
【０００８】
【発明が解決しようとする課題】
しかしながら、上記従来の構成では着色樹脂板２は平板で全周に亘って枠体３が設けられているので、扉体周縁部まで光沢を出すことができず、扉体１の周縁部の意匠性を高められないという課題を有していた。
【０００９】
本発明は上記従来の課題を解決するもので、扉体周縁部まで光沢を高め、扉体全体の意匠性を高めることができる冷蔵庫を提供することを目的とする。
【００１０】
【課題を解決するための手段】
本発明の請求項１に記載の発明は、側壁面を有する略断面コの字状の鋼板製の外板と、前記外板の上下に設ける樹脂製キャップと、内板と、前記外板と内板と樹脂製キャップ間に発泡充填される断熱材とからなる断熱体の外板の表面を覆うように、略断面コの字状の透明樹脂製のパネルを設けた扉体を有するものであり、鋼板製の外板と透明樹脂製のパネルが扉体の側壁面まで一体に成形することで透明樹脂に注いだ光が、扉体の側面ラウンド部で屈折し、透明樹脂内でレンズのような風合いを出し、扉体全体の意匠性が高まる。
【００１１】
請求項２に記載の発明は、請求項１に記載の発明において、透明樹脂製のパネルの内側に凹凸部を施したものであり、透明樹脂に注いだ光が凹凸部で屈曲、反射し立体感のある模様、色彩を出すことができる。
【００１２】
請求項３に記載の発明は、請求項１または２に記載の発明において、略断面コの字状の透明樹脂製のパネルは押出し成形で成形したものであり、断面形状は押出し型の形状で様々に加工できる。
【００１３】
請求項４に記載の発明は、請求項１から請求項３のいずれか一項に記載の発明において、透明樹脂製のパネルの表面に硬度強化処理を施したものであり、扉体の表面の傷つきを防止できる。また、特に表面硬度が必要な顧客に対して高硬度仕様を提供できる。
【００１４】
請求項５に記載の発明は、請求項１から請求項４のいずれか一項に記載の発明において、鋼板製の外板と透明樹脂製のパネルの間に様々な色彩、模様の樹脂フィルムを配置したものであり、透明樹脂に注いだ光が様々な色彩、模様の樹脂フィルムで反射し、再度透明樹脂を通して見るため、扉表面の透明感、立体感を得ることができる。
【００１５】
請求項６に記載の発明は、請求項１から請求項４のいずれか一項に記載の発明において、透明樹脂製のパネルの内側表面に様々な色彩、模様の印刷、塗装を施したものであり、透明樹脂に注いだ光はパネルの内側表面の色彩、模様を印刷、塗装した面で反射し、再度透明樹脂を通して見るため、扉表面の透明感、立体感を得ることができる。また、透明樹脂層と印刷、塗装面には空間層がないので、組立時のゴミなどの不純物の混入の影響が生じない。
【００１６】
請求項７に記載の発明は、側壁面を有する略断面コの字状の鋼板製の外板と、前記外板の上下に設ける樹脂製キャップと、内板とを有し、前記外板と内板と樹脂製キャップからなる空間に断熱材を充填発泡し断熱体を形成した後、前記断熱体の外板の表面を覆うように、略断面コの字状の透明樹脂製のパネルを組み込むものであり、顧客が様々な色調の透明樹脂から選び顧客自身が装着することが可能である。また、冷蔵庫の廃棄時、透明樹脂パネルのみを取り外せるのでリサイクル、リユースが容易にできる。
【００１７】
請求項８に記載の冷蔵庫の発明は、側壁面を有する略断面コの字状の鋼板製の外板と、前記外板の上下に設ける樹脂製キャップと、内板とを有し、前記外板の表面を覆うように、略断面コの字状の透明樹脂製のパネルを前記外板に組み込み、その後、前記外板と内板と樹脂製キャップからなる空間に断熱材を充填発泡し断熱扉を形成したものであり、透明樹脂製のパネルと鋼板製の外板の隙間が、断熱材の充填発泡時の発泡圧で密着して配設でき、空間が生じないので、扉体を表面から押したときのベコツキが生じない。
【００１８】
請求項９に記載の発明は、請求項７または８に記載の断熱扉の製造方法による断熱扉を有する冷蔵庫であり、扉体全体の意匠性を高めた冷蔵庫を提供できる。
【００１９】
請求項１０に記載の冷蔵庫の発明は、請求項１から請求項６のいずれか一項に記載の発明において、扉体の前面部に取り付けるハンドルの固定部に対応して透明樹脂製のパネルに開口穴を有し、前記ハンドルの固定部には前記透明樹脂製のパネルの厚みと略同一の土手部を設け、前記開口穴に前記土手部を配置し鋼板製の外板に前記ハンドルを固定したものであり、ハンドルを扉体に固定する際、透明樹脂の外板に局部的に応力が加わることがなく、外観上のひずみが生じず意匠性を損なうことがない。
【００２０】
【発明の実施の形態】
以下、本発明による冷蔵庫の一実施の形態について、図面を参照しながら説明する。
【００２１】
（実施の形態１）
図１は本発明の実施の形態１による冷蔵庫の外観図、図２は同実施の形態の冷蔵室扉の斜視図、図３は同実施の形態の冷蔵室扉の分解斜視図、図４は図２のＡ−Ａ要部断面図、図５は図４のＢ部拡大図である。
【００２２】
同図において、１１は冷蔵庫本体で、前面を開口し内部を上下に複数の区画に仕切り上部より冷蔵室、野菜室、冷凍室を形成する断熱箱体１２、冷蔵室扉１３ａ，１３ｂ、野菜室扉１４、冷凍室扉１５とよりなる。
【００２３】
図２から図５は冷蔵室扉１３ａの構成を示すもので、前面に上下方向に形成したハンドル１６と、鋼板製の外板１７と、外板１７の表面を覆う透明樹脂製パネル１８と、外板１７の上下に設ける樹脂製キャップ１９、２０と、内板２１と、前記外板１７と内板２１と樹脂製キャップ１９、２０間に発泡充填される断熱材２２とからなる。
【００２４】
鋼板製の外板１７は板厚０．５ｍｍ程度のもので、側壁面２３を有する略断面コの字状としている。また、透明樹脂製パネル１８はアクリル樹脂を材料とし押出成形されるもので板厚３ｍｍ程度とし、外板１７の表面を覆うように側壁面２４を有する略断面コの字状としている。
【００２５】
そして、鋼板製の外板１７と透明樹脂製パネル１８の間に様々な色彩、模様の樹脂フィルム２５を配置している。
【００２６】
また、略断面コの字状の透明樹脂製パネル１８の内側には縦方向に波形の凹凸部２６を形成し、凹凸の深さは約０．３ｍｍとしている。
【００２７】
また、透明樹脂製パネル１８の表面には硬度を高めるために硬度強化処理を施している。
【００２８】
上記構成により、透明樹脂製パネル１８の表面に注いだ光は透明樹脂部を透過する。透過した光は、透明樹脂製パネル１８と外板１７の０．１〜０．３ｍｍの僅かな空気層に入り、それから樹脂フィルム２５で反射し、ふたたび透明樹脂部を通り使用者の目に入る。
【００２９】
このとき、透明樹脂層の光の透過率（透明度）は自由に設定できるが、９０％とし、樹脂フィルム２５での反射率を５０％とすると、表面から入った光は０．９×０．５×０．９で０．４０５となり約４０％の光を感じることで透明樹脂製パネル１８の透明樹脂層の光沢と深みを得ることができる。
【００３０】
また、本実施の形態では透明樹脂製パネル１８は、外板１７の表面を覆うように扉体の側壁面２４まで一体に成形、配置しているので、透明樹脂に注いだ光が、扉体の側面ラウンド部で屈折し、透明樹脂内でレンズのような風合いを出せることにより、従来に比べ扉体の周縁部の意匠性が高まり、扉体全体の意匠性を高めることができる。
【００３１】
また、略断面コの字状の透明樹脂製パネル１８の内側には波形の凹凸部２６を形成しているので、透明樹脂製パネル１８の透明樹脂に注いだ光が凹凸部２６で屈曲、樹脂フィルム２５で反射し立体感のある模様、色彩を出すことができる。また、凹凸部２６を形成することで透明樹脂製パネル１８の強度が高まり、変形を防止できる効果も有している。
【００３２】
また、略断面コの字状の透明樹脂製パネル１８は押出し成形で成形したものであり、押出し断面は自由に設計できるので、押出方向に凹凸部２６の大きさや深さ、両端の断面コの字状のＲ形状、また凹凸部を施さない部位の配設も容易に可能となる。したがって、押出し形状を様々に変えることにより顧客の生活スタイルの多様化に対応した様々な風合いができるという効果がある。
【００３３】
また、透明樹脂製パネル１８の表面には硬度を高めるために硬度強化処理（ハードコート）を施しているので、扉体の表面の傷つきを防止できる。また、特に表面硬度が必要な顧客に対して高硬度仕様を提供できる。
【００３４】
また、鋼板製の外板１７と透明樹脂製パネル１８の間に様々な色彩、模様の樹脂フィルム２５を配置しているので、透明樹脂に注いだ光が様々な色彩、模様の樹脂フィルムで反射し、再度透明樹脂を通して見るため、扉表面の透明感、立体感を得ることができる。
【００３５】
なお、本実施の形態では冷蔵室扉１３ａについて説明したが、野菜室扉１４、冷凍室扉１５についても同様である。
【００３６】
また、本実施の形態では透明樹脂製パネル１８はアクリル樹脂を材料としたもので説明したが、材料はスチレン樹脂、ＡＢＳ樹脂、ＰＰ、ＰＥ、ポリカーボネート、ＰＶＣ等の透明樹脂であれば可能である。また、透明樹脂製パネル１８は押出成形したもので説明したが、インジェクション成形とすることも可能である。この場合、透明樹脂製パネル１８の成型時の寸法精度を高めることができ、高品位の扉体を提供することができる。
【００３７】
また、本実施の形態では、鋼板製の外板１７と透明樹脂製パネル１８の間に様々な色彩、模様の樹脂フィルム２５を配置したもので説明したが、透明樹脂製パネル１８の内側表面に様々な色彩、模様の印刷、塗装を施してもよい。この場合、透明樹脂に注いだ光はパネルの内側表面の色彩、模様を印刷、塗装した面で反射し、再度透明樹脂を通して見るため、扉表面の透明感、立体感を得ることができる。また、透明樹脂層と印刷、塗装面には空間層がないので、組立時のゴミなどの不純物の混入の影響が生じず、意匠性を損なうことがない。
【００３８】
また、透明樹脂製パネル１８は、成形時、中央部を扉体側にやや反らすように成形することが望ましい。これにより透明樹脂製パネル１８を外板１７に圧接しながら配置することができ、組み込み後の透明樹脂製パネル１８のベコツキを低減することができる。
【００３９】
また、透明樹脂製パネル１８の内側に設けた凹凸部２６の形状は、好みに応じて断面形状が台形状や三角形状などに設定でき、使用者の嗜好に応じた意匠に対応できる。
【００４０】
（実施の形態２）
図６は本発明の実施の形態２による冷蔵庫の扉の分解図、図７は同実施の形態の冷蔵庫の扉のハンドル固定部の要部断面図である。なお、実施の形態１と同一構成については、同一符号を付してその詳細な説明は省略する。
【００４１】
同図において、冷蔵室扉１３ａの製造は、側壁面を有する略断面コの字状の鋼板製の外板１７を前記外板１７の上下に設ける樹脂製キャップ１９、２０に組み込む。そして、組み込み品の開口部を上にしてウレタン発泡冶具にセットし断熱材２２を充填するとともに内板２１を被せ、発泡完了により断熱体となる。その後、断熱体の外板１７の表面を覆うように、略断面コの字状の透明樹脂製パネル１８を組み込み、断熱扉が完成する。
【００４２】
また、前記外板１７のヒンジ取付部（図示せず）の他端側には、ハンドル１６取り付け用の穴２７が上下２箇所に設けられており、断熱材２２充填発泡前にあらかじめ外板１７の内側（断熱材発泡側）の穴２７に対応してハンドル固定部材２８を両面テープ等で固定している。また、透明樹脂製パネル１８には開口穴２９を有し、開口穴２９はハンドル１６取り付け用の穴２７より大きく、穴２７の位置に対応して設けられている。なお、透明樹脂製パネル１８に設ける開口穴２９はレーザー加工やＮＣ加工により形成し、加工後に透明樹脂製パネル１８に残留応力が残らないようにしている。
【００４３】
また、ハンドル１６は樹脂製のベースハンドル３０、金属製の補強ハンドル３１、透明樹脂製の化粧ハンドル３２からなり、ベースハンドル３０には透明樹脂製パネル１８の厚みと略同一の土手部３３を有し、土手部３３の略中央部を貫通するビス穴を設けている。また、透明樹脂製の化粧ハンドル３２は断面が凸状を形成し、内側表面に塗装を施している。
【００４４】
そして、ハンドル１６の組み込みは、断熱材２２充填発泡後の断熱扉体の透明樹脂製パネル１８に設けた開口穴２９に、ベースハンドル３０の土手部３３を配置し、補強ハンドル３１とベースハンドル３０をビス３４で外板１７のハンドル固定部材２８に共締めする。
【００４５】
以上の構成により、透明樹脂製パネル１８は断熱材２２の充填発泡後に外板１７の表面を覆うように組み込んでいるので、透明樹脂製パネル１８の取付、取り外しが容易にでき、顧客が様々な色調の透明樹脂から選び顧客自身が装着することが可能である。また、冷蔵庫の廃棄時、透明樹脂パネルのみを取り外せるのでリサイクル、リユースが容易にできる。
【００４６】
また、補強ハンドル３１とベースハンドル３０をビス３４で外板１７のハンドル固定部材２８に共締めする際、ベースハンドル３０には透明樹脂製パネル１８の厚みと略同一の土手部３３を有しているので、透明樹脂製パネル１８の開口穴２９に締め付け応力が加わらない。したがって、透明樹脂製パネル１８の開口穴２９の近傍の透明樹脂に局部的に応力が加わることがなく、ハンドル１６を組み込んでも外観上のひずみが生じず意匠性を損なうことがない。
【００４７】
また、ハンドル１６は透明樹脂製パネル１８の前面に自由度を持って取り付けられるので、顧客の生活スタイルに合わせた多様なハンドルを適用できる。
【００４８】
また、透明樹脂製の化粧ハンドル３２は断面が凸状を形成しているので、ハンドル前面部の断面凸状の透明樹脂部材がレンズの効果を発し、深みのある光沢を得ることができる。
【００４９】
また、透明樹脂製の化粧ハンドル３２の断面凸状の内側表面に塗装を施しているので、ハンドル前面部の断面凸状の透明樹脂部材に入った光が塗装面で反射し、深みのある光沢を得ることができる。また、塗装の色、模様などを変えることで、フレキシブルなデザインに容易に対応できる。
【００５０】
（実施の形態３）
図６の冷蔵庫の扉の分解図で本発明の実施の形態３を説明する。なお、実施の形態１、２と同一構成については、同一符号を付してその詳細な説明は省略する。
【００５１】
同図において、冷蔵室扉１３ａの製造は、側壁面を有する略断面コの字状の鋼板製の外板１７の表面を覆うように、略断面コの字状の透明樹脂製パネル１８を配置し、前記外板１７の上下に設ける樹脂製キャップ１９、２０に組み込む。そして、組み込み品の開口部を上にしてウレタン発泡冶具にセットし断熱材２２を充填するとともに内板２１を被せ、発泡完了により断熱扉が完成する。つまり、側壁面を有する略断面コの字状の鋼板製の外板１７と前記外板１７を覆う略断面コの字状の透明樹脂製パネル１８を一体に組み込んだ後、断熱材２２を充填発泡するものである。
【００５２】
以上の構成により、透明樹脂製パネル１８と鋼板製の外板１７の隙間が、断熱材２２の充填発泡時の発泡圧で密着して配設でき、空間が生じないので、扉体を表面から押したときのベコツキが生じず、完成度の高い扉体を提供できる。
【００５３】
【発明の効果】
以上説明したように請求項１に記載の発明は、側壁面を有する略断面コの字状の鋼板製の外板と、前記外板の上下に設ける樹脂製キャップと、内板と、前記外板と内板と樹脂製キャップ間に発泡充填される断熱材とからなる断熱体の外板の表面を覆うように、略断面コの字状の透明樹脂製のパネルを設けた扉体を有するものであり、鋼板製の外板と透明樹脂製のパネルが扉体の側壁面まで一体に成形することで透明樹脂に注いだ光が、扉体の側面ラウンド部で屈折し、透明樹脂内でレンズのような風合いを出し、扉体全体の意匠性が高まる。
【００５４】
また、請求項２に記載の発明は、請求項１に記載の発明において、透明樹脂製のパネルの内側に凹凸部を施したものであり、透明樹脂に注いだ光が凹凸部で屈曲、反射し立体感のある模様、色彩を出すことができる。
【００５５】
また、請求項３に記載の発明は、請求項１または２に記載の発明において、略断面コの字状の透明樹脂製のパネルは押出し成形で成形したものであり、断面形状は押出し型の形状で様々に加工できる。
【００５６】
また、請求項４に記載の発明は、請求項１から請求項３のいずれか一項に記載の発明において、透明樹脂製のパネルの表面に硬度強化処理を施したものであり、扉体の表面の傷つきを防止できる。また、特に表面硬度が必要な顧客に対して高硬度仕様を提供できる。
【００５７】
また、請求項５に記載の発明は、請求項１から請求項４のいずれか一項に記載の発明において、鋼板製の外板と透明樹脂製のパネルの間に様々な色彩、模様の樹脂フィルムを配置したものであり、透明樹脂に注いだ光が様々な色彩、模様の樹脂フィルムで反射し、再度透明樹脂を通して見るため、扉表面の透明感、立体感を得ることができる。
【００５８】
また、請求項６に記載の発明は、請求項１から請求項４のいずれか一項に記載の発明において、透明樹脂製のパネルの内側表面に様々な色彩、模様の印刷、塗装を施したものであり、透明樹脂に注いだ光はパネルの内側表面の色彩、模様を印刷、塗装した面で反射し、再度透明樹脂を通して見るため、扉表面の透明感、立体感を得ることができる。また、透明樹脂層と印刷、塗装面には空間層がないので、組立時のゴミなどの不純物の混入の影響が生じない。
【００５９】
また、請求項７に記載の発明は、側壁面を有する略断面コの字状の鋼板製の外板と、前記外板の上下に設ける樹脂製キャップと、内板とを有し、前記外板と内板と樹脂製キャップからなる空間に断熱材を充填発泡し断熱体を形成した後、前記断熱体の外板の表面を覆うように、略断面コの字状の透明樹脂製のパネルを組み込むものであり、顧客が様々な色調の透明樹脂から選び顧客自身が装着することが可能である。また、冷蔵庫の廃棄時、透明樹脂パネルのみを取り外せるのでリサイクル、リユースが容易にできる。
【００６０】
また、請求項８に記載の冷蔵庫の発明は、側壁面を有する略断面コの字状の鋼板製の外板と、前記外板の上下に設ける樹脂製キャップと、内板とを有し、前記外板の表面を覆うように、略断面コの字状の透明樹脂製のパネルを前記外板に組み込み、その後、前記外板と内板と樹脂製キャップからなる空間に断熱材を充填発泡し断熱扉を形成したものであり、透明樹脂製のパネルと鋼板製の外板の隙間が、断熱材の充填発泡時の発泡圧で密着して配設でき、空間が生じないので、扉体を表面から押したときのベコツキが生じない。
【００６１】
また、請求項９に記載の発明は、請求項７または８に記載の断熱扉の製造方法による断熱扉を有する冷蔵庫であり、扉体全体の意匠性を高めた冷蔵庫を提供できる。
【００６２】
また、請求項１０に記載の冷蔵庫の発明は、請求項１から請求項６のいずれか一項に記載の発明において、扉体の前面部に取り付けるハンドルの固定部に対応して透明樹脂製のパネルに開口穴を有し、前記ハンドルの固定部には前記透明樹脂製のパネルの厚みと略同一の土手部を設け、前記開口穴に前記土手部を配置し鋼板製の外板に前記ハンドルを固定したものであり、ハンドルを扉体に固定する際、透明樹脂の外板に局部的に応力が加わることがなく、外観上のひずみが生じず意匠性を損なうことがない。
【図面の簡単な説明】
【図１】本発明の実施の形態１による冷蔵庫の外観図
【図２】同実施の形態の冷蔵室扉の斜視図
【図３】同実施の形態の冷蔵室扉の分解斜視図
【図４】図２のＡ−Ａ要部断面図
【図５】図４のＢ部拡大図
【図６】本発明の実施の形態２による冷蔵庫の扉の分解図
【図７】同実施の形態の冷蔵庫の扉のハンドル固定部の要部断面図
【図８】従来の冷蔵庫の扉体の斜視図
【図９】同冷蔵庫の扉体の要部断面図
【符号の説明】
１１  冷蔵庫本体
１３ａ  冷蔵室扉
１６  ハンドル
１７  外板
１８  透明樹脂製パネル
１９、２０  樹脂製キャップ
２１  内板
２２  断熱材
２３、２４  側壁面
２５  樹脂フィルム
２６  凹凸部
２７  穴
２９  開口穴
３０  ベースハンドル
３１  補強ハンドル
３２  化粧ハンドル
３３  土手部
【図１】
2004278891.tif 000003
【図２】
2004278891.tif 000004
【図３】
2004278891.tif 000005
【図４】
2004278891.tif 000006
【図５】
2004278891.tif 000007
【図６】
2004278891.tif 000008
【図７】
2004278891.tif 000009
【図８】
2004278891.tif 000010
【図９】
2004278891.tif 000011